(57)【特許請求の範囲】
【請求項１】
バン型車両の荷室に、運転席から後面窓を通して後方視界を確保できる程度の高さのコンテナを搭載し、このコンテナに上記荷室の天井面に向けて延出したアーチ状のマウントメンバを装着し、上記コンテナに冷気を送る冷凍装置を上記車両のルーフ部に搭載し、上記車両のルーフ部に取付穴を形成するとともに、該取付穴を利用して上記車両のルーフ部を間に挟んで上記冷凍装置を上記マウントメンバに締付固定し、上記冷凍装置を上記ルーフ部を通して上記マウントメンバで支持したことを特徴とするバン型冷凍車。
【請求項２】
上記マウントメンバの上面にマウントブラケットを設け、このマウントブラケット上面が天井面に接するようにして、天井面を支持すると共に該マウントブラケットに上記冷凍装置を固定したことを特徴とする請求項１に記載のバン型冷凍車。
【請求項３】
ルーフ部を構成するルーフパネル内面側に配設されたルーフライニングに穴を開け、該穴を通して上記マウントブラケットをルーフパネル内面に接触させたことを特徴とする請求項２に記載のバン型冷凍車。
【請求項４】
上記ルーフパネルの上面に上記マウントブラケットに支持されたマウントステーを設け、該マウントステーに弾性部材を介して上記冷凍装置を支持したことを特徴とする請求項３に記載のバン型冷凍車。
【請求項５】
上記マウントメンバに、コンテナ上の物がコンテナ前方側に落下するのを防止する遮蔽体を装着し、該遮蔽体に見通しの利く素材を用いたことを特徴とする請求項１ないし４のいずれか１項に記載のバン型冷凍車。
【発明の詳細な説明】
【０００１】
【発明の属する技術分野】
本発明は、運転席から後面窓を通しての後方視界を確保することができるバン型冷凍車に関する。
【０００２】
【従来の技術】
近年、宅配車両として冷凍車が利用されるケースが増えてきている。この中でも、小口の宅配には、小型の冷凍車が利用されているが、小口の宅配に従事するのは、いわゆるプロドライバーではなく、パートタイマーの割合が高い。従って、運転のし易さを求める傾向が強い。この運転のし易さと言うのは、具体的には、車両が小型で取り回しが楽なこと、バックするとき、後方視界が確保されていることである。車両は小型に変えれば済むが、後方視界という点では、冷凍車はコンテナを搭載する関係上、断熱性を損なうような窓を開けることは出来ないので、これを解決する方法が無かった。
さらに、従来よりの、トラック型冷凍車に代わり、見栄えが良い、取り扱い性が良い等の理由により、バン型冷凍車の要求も高まっている。
【０００３】
バン型冷凍車の場合、冷凍機のコンデンサ、（電動式冷凍機の場合、コンプレッサとコンデンサおよびモータが一体化された室外機となる。）の配置が問題となる。
トラック型冷凍車の場合、図６に示すような、コンデンサ１００等を運転席１０１のルーフ部１０２に載せるノーズマウント型か、図７に示すような、コンデンサ１００等を荷室１０３の下部側に配置するサイドアンダー型のいずれかで成り立つが、バン型冷凍車では、車両構造上、トラック並にはできないので、図８に示すようなコンデンサ１００等をフロントボデイ１０４の下部側に配置するフロントアンダー型か、図示しないルーフパネル上に載せるルーフマウント型になってしまう。
【０００４】
【発明が解決しようとする課題】
しかしながら、フロントアンダー型は、エアコン用のコンデンサ１０５が配置されており、スペース上、冷凍機用の大型コンデンサ１００等を設けるのが難しい。また、ラジエータ１０６もすぐ近くにあり、オーバーヒートなどの熱害的にも好ましいものではない。
一方、ルーフマウント型にすれば、コンデンサ放熱上は、最も好ましいが、一般的に車両のルーフはコンデンサ、室外機を搭載するほど強固な構造ではないので、強度および剛性上不可能である。
この場合、コンデンサあるいは室外機を搭載出来るよう、車両のルーフを補強することは技術的には可能だが、大幅な設備投資と作業工数の増加を伴うので、冷凍車のように台数の少ない場合には、採用できない。
【０００５】
本発明は上記課題を解決し、車両側に大幅な改良を加えることなく冷凍装置をルーフ部に搭載し、かつ運転席から後面窓を通しての後方視界を確保することができるバン型冷凍車を提供することを目的とする。
【０００６】
【課題を解決するための手段】
本発明は上記課題を解決するため、バン型車両の荷室に、運転席から後面窓を通して後方視界を確保できる程度の高さのコンテナを搭載し、このコンテナに上記荷室の天井面に向けて延出したアーチ状のマウントメンバを装着し、上記コンテナに冷気を送る冷凍装置を上記車両のルーフ部に搭載し、上記車両のルーフ部に取付穴を形成するとともに、該取付穴を利用して上記車両のルーフ部を間に挟んで上記冷凍装置を上記マウントメンバに締付固定し、上記冷凍装置を上記ルーフ部を通して上記マウントメンバで支持したことにある。
【０００７】
【発明の実施の形態】
以下本発明の実施の形態を図面を参照しながら詳細に説明する。
図１ないし図３は、本発明を、いわゆる典型的なバン型のワンボックスカーに適用したバン型冷凍車を示したものである。
このバン型冷凍車１の車両には、車体２の前部に運転席３を設け、その後方に荷室４を設けた通常のバン型車両を使用している。このバン型車両の車体２には、片側側面にスライドドア５と側面窓６が設けられ、他方側側面に側面窓６が設けられている。車体２の後面には、ハッチバックタイプのバックドア７が設けられ、このバックドア７には、運転席３からの後方視界を確保するための後面窓８が設けられている。
【０００８】
上記のようなバン型車両の荷室４には、冷凍庫としてのコンテナ９が搭載されており、このコンテナ９は、運転席３から後面窓８を通しての視界が確保できる高さに組み立てられている。このコンテナ９は、バン型車両のバックドア７を開けて荷室４に入れられて、車体に固定されている。このとき、コンテナ９の前端部は、運転席３のシート１０の後方に位置するように搭載される。
【０００９】
上記コンテナ９の構造を図４に従って説明する。
コンテナ９は、バン型車両の荷室４の大きさに応じて組み立てられたもので、後面と側面に、開閉用のドア１１，１２が設けられている。このコンテナ９の上面９ａ前端部には、アーチ状の冷凍装置マウントメンバ１３が取付けられている。この冷凍装置マウントメンバ１３は、中空断面の帯状のプレートを台形状に折り曲げて成形したもので、両端下部側に設けられた座面部１３ａが取付ボルト１４を介してコンテナ９の上面９ａの前端部両側に固定されている。この冷凍装置マウントメンバ１３には、断面が中空のパイプ、角管等の材料が望ましい。
【００１０】
上記冷凍装置マウントメンバ１３の上面には、互いに所定間隔で配置された一対の冷凍装置マウントブラケット１５が設けられている。この冷凍装置マウントブラケット１５は、横断面、略コ字形状に形成されたもので、上面に取付穴１６が形成されている。この冷凍装置マウントブラケット１５は、図５に示すように、荷室４内のルーフ部１７に向けて延出されたもので、ルーフ部１７を構成するルーフパネル１８の内面側１８ａに接触するように配設されている。この冷凍装置マウントブラケット１５は、ルーフパネル１８の下部側のルーフライニング１９に形成された切り欠き部２０を介してルーフパネル１８の内面側１８ａに延出されている。
【００１１】
上記冷凍装置マウントブラケット１５の取付穴１６に対応するルーフパネル１８には、取付穴２１が形成されており、この取付穴２１と、上記冷凍装置マウントブラケット１５の取付穴１６にボルト２２を通して冷凍装置マウントステー２３が固定されている。この冷凍装置マウントステー２３は、プレートを階段状に折り曲げたもので、下部側フランジ部２３ａに上記取付穴２１に対応する取付穴２４が形成され、この取付穴２４を上記取付穴２１および上記冷凍装置マウントブラケット１５の取付穴１６に合致させてボルト２２およびナット２２ａにより螺合して上記冷凍装置マウントステー２３が固定されている。この冷凍装置マウントステー２３の下部側フランジ部２３ａとルーフパネル１８の間には、シールワッシャ２５が配設されている。
【００１２】
上記冷凍装置マウントステー２３の上部側フランジ部２３ｂには、取付穴２６が形成されており、この取付穴２６には、防振ゴム２７とブッシュ２８が組み付けられている。防振ゴム２７は、中間部に括れ部２７ａを有する筒状体２７ｂに形成されたもので、この防振ゴム２７の内径側に、一端に鍔部２８ａを有する筒状のブッシュ２８が圧入されている。このブッシュ２８に取付ボルト２９を挿通して冷凍装置３０が上記冷凍装置マウントステー２３に固定されている。冷凍装置３０は、ケース３１に形成された取付穴３２に取付ボルト２９を挿通し、ナット２９ａを螺合して固定されている。冷凍装置３０は、コンデンサあるいは電動式冷凍機のコンプレッサ、コンデンサ、モータを含む室外機を言う。
【００１３】
なお、上記冷凍装置マウントメンバ１３の前部側端面には、冷凍装置マウントメンバ１３の開放部を遮蔽するネットあるいは透明プラスチックのプレート３３が装着されており、ネットあるいは透明プラスチックのプレート３３の周囲に形成した取付穴３４に取付ネジ３５を挿通して冷凍装置マウントメンバ１３の前部側フランジ部に螺合している。冷凍装置マウントメンバ１３の前部側端面１３ａには、取付穴３６が形成されており、この取付穴３６にネットあるいは透明プラスチックのプレート３３をネジ止めしている。
【００１４】
次に、上記構成による本発明の作用を説明する。
本発明の実施の形態に係るバン型冷凍車１では、通常のバン型車両のルーフパネル１８に取付穴２１を形成し、ルーフライニング１９に切り欠き部２０を形成する。
そして、バン型車両の荷室４には、冷凍庫としてのコンテナ９をバックドアを開けて搭載する。このコンテナ９は、運転席３から後面窓８を通しての視界が確保できる高さに組み立てられている。
コンテナ９に取り付けられた冷凍装置マウントメンバ１３は、運転席３のシート１０の後部側に、ルーフパネル１８に沿うようにして配置されている。冷凍装置マウントメンバ１３に取り付けられた冷凍装置マウントブラケット１５は、ルーフライニング１９に形成された切り欠き部２０からルーフパネル１８の内面側１８ａに接触するように配設する。そして、冷凍装置マウントブラケット１５の取付穴１６と、ルーフパネル１８の取付穴２１に合うようにして、ボルト２２を通し、冷凍装置マウントステー２３をボルト２２およびナット２２ａを介して冷凍装置マウントブラケット１５に装着する。このとき、冷凍装置マウントステー２３の下部側フランジ部２３ａとルーフパネル１８の間には、シールワッシャ２５を配設しておく。
【００１５】
こうして、ルーフパネル１８に一対の冷凍装置マウントステー２３を取付け、この冷凍装置マウントステー２３に、コンテナ９内部に冷気を供給する冷凍装置３０を載置する。この冷凍装置マウントステー２３の取付穴２６には、防振ゴム２７とブッシュ２８を予め装着しておく。そして、冷凍装置マウントステー２３の取付穴２６とケース３１に形成された取付穴３２に取付ボルト２９を挿通し、この取付ボルト２９にナット２９ａを螺合して冷凍装置３０を固定する。こうして、冷凍装置３０をバン型車両のルーフパネル１８に搭載して、冷凍装置３０の近傍のルーフパネル１８に穴を開けて冷媒配管および電気配線を施す。この穴には、グロメット等でシールを行う。
【００１６】
このように、上記実施の形態によるバン型冷凍車は、通常のバン型車両に僅かな改良を加えるだけで、冷凍車に変更できるので、経済的であり、かつ、後方視界を確保できることから、運転に不慣れな人にも容易に運転を行うことができる。また、コンテナ９の大きさを任意に変えることができるので、運搬物の量に応じてコンテナ容量を容易に変更することが出来る。さらに、冷凍装置３０をルーフパネル１８に載せることができるので、荷室４内にスペースを取る必要がないので、荷室４内の有効利用を図ることができる。また、冷凍装置マウントメンバ１３で冷凍装置３０を支持するので、大きな重量がルーフパネル１８に掛からないことから、ルーフパネル１８を補強する必要がない。そして、冷凍装置マウントメンバ１３で冷凍装置３０を支持する際に、冷凍装置３０の振動が車体２に伝わりにくいことから、騒音を極めて小さくすることができる。コンテナ９高さを低く抑えているので、運転席３からの後方視界を確保することができるとともに、コンテナ９上部を利用することができる。さらに、コンテナ９上部に物を載せた場合にも、ネットあるいは透明プラスチックのプレート３３によって前方からの落下を防ぐことができる。
【００１７】
なお、本発明は、上記実施の形態のみに限定されるものではなく、ネットあるいは透明プラスチックのプレート３１としては、後方視界の利く遮蔽体であればどの様な素材のものでも適用することができる。等、本発明の要旨を変更しない範囲内で適宜変更して実施し得ることは言うまでもない。
【００１８】
【発明の効果】
以上述べたように、本発明によるバン型冷凍車によれば次のような効果を奏することができる。
請求項１において、バン型車両の荷室に、運転席から後面窓を通して後方視界を確保できる程度の高さのコンテナを搭載し、このコンテナに上記荷室の天井面に向けて延出したアーチ状のマウントメンバを装着し、上記コンテナに冷気を送る冷凍装置を上記車両のルーフ部に搭載し、上記車両のルーフ部に取付穴を形成するとともに、該取付穴を利用して上記車両のルーフ部を間に挟んで上記冷凍装置を上記マウントメンバに締付固定し、上記冷凍装置を上記ルーフ部を通して上記マウントメンバで支持したので、車両側に大幅な改良を加えることなく冷凍装置をルーフ部に搭載し、かつ運転席から後面窓を通しての後方視界を確保することができることから、運転に不慣れな人にも容易に運転を行うことができる。また、冷凍装置の放熱性が向上するので、冷凍性能の向上を図ることができる。さらに、アーチ状のマウントメンバを車両の内面に沿った形状にすることで、車両の後方視界を妨げることがなく、かつ車体の強度を向上することができる。
請求項２において、上記マウントメンバの上面にマウントブラケットを設け、このマウントブラケット上面が天井面に接するようにして、天井面を支持すると共に該マウントブラケットに上記冷凍装置を固定したので、車両のルーフ部に大幅な改造を加える必要がないことから、特別仕様の車を用意する必要がない。よって、経済性の向上を図ることができる。
請求項３において、ルーフ部を構成するルーフパネル内面側に配設されたルーフライニングに穴を開け、該穴を通して上記マウントブラケットをルーフパネル内面に接触させたので、ルーフパネルに大幅な改造を加える必要がないことから、通常のバン型車両の転用が容易である。
請求項４において、上記ルーフパネルの上面に上記マウントブラケットに支持されたマウントステーを設け、該マウントステーに弾性部材を介して上記冷凍装置を支持したので、冷凍装置の振動が車体に伝播されるのを防止することができる。
請求項５において、上記マウントメンバに、コンテナ上の物がコンテナ前方側に落下するのを防止する遮蔽体を装着し、該遮蔽体に見通しの利く素材を用いたので、上記コンテナ上面を物置として利用することができるとともに、コンテナ前方に落下するのを遮蔽体によって防止することができる。
【図面の簡単な説明】
【図１】本発明によるバン型冷凍車の実施の形態を示す側面図である。
【図２】図１のバン型冷凍車の背面図である。
【図３】図１の示すバン型冷凍車の内部を示す半断面図である。
【図４】図１のコンテナを示す分解斜視図である。
【図５】図３のＸ部を拡大して示す断面図である。
【図６】従来の冷凍車を示す斜視図である。
【図７】従来の冷凍車を示す斜視図である。
【図８】従来の冷凍車を示す斜視図である。
【符号の説明】
１    バン型冷凍車
２    車体
３    運転席
４    荷室
５    スライドドア
６    側面窓
７    バックドア
８    後面窓
９    コンテナ
１０  シート
１１，１２  開閉用のドア
１３  冷凍装置マウントメンバ
１４  取付ボルト
１５  冷凍装置マウントブラケット
１６  取付穴
１７  ルーフ部
１８  ルーフパネル
１９  ルーフライニング
２０  切り欠き部
２１，２４，２６  取付穴
２３  冷凍装置マウントステー
２５  シールワッシャ
２７  防振ゴム
２８  ブッシュ
２９  取付ボルト
３０  冷凍装置
３１  ケース
３３  ネットあるいは透明プラスチックのプレート
【図１】
0003921932.tif 000002
【図２】
0003921932.tif 000003
【図３】
0003921932.tif 000004
【図４】
0003921932.tif 000005
【図５】
0003921932.tif 000006
【図６】
0003921932.tif 000007
【図７】
0003921932.tif 000008
【図８】
0003921932.tif 000009